(57)【要約】【課題】  ソフトウェアキーボードにおけるキータッチタイピングを、通常のキーボードと同様に、円滑、確実に行なうことができるソフトウェアキーボード表示画面用入力補助具を提供する。【課題の解決手段】  ソフトウェアキーボード表示画面用入力補助具１は、透視可能で軟質性の合成樹脂を一体成型してなり、枠状の基部２とキータッチ部３とを備え、基部２は、携帯情報端末の表示画面のソフトウェアキーボードに載置した状態で、ソフトウェアキーボードの各キーの周囲に対応するよう形成され、キータッチ部３が存在しない場合でも、各キーに接触しない状態で利用者の指を載せることが可能なものである。【選択図】    図１
0003166933.tif 000002
【実用新案登録請求の範囲】
【請求項１】
携帯情報端末の表示画面のソフトウェアキーボードに載置した状態で、ソフトウェアキーボードの各キーの周囲に対応するとともに、各キーに接触せずに利用者の指を載せることが可能な枠状の基部を備えてなることを特徴とするソフトウェアキーボード表示画面用入力補助具。
【請求項２】
前記枠状の基部とキータッチ部とからなるとともに、透視可能な合成樹脂で一体成型されてなり、キータッチ部は、ソフトウェアキーボードの各キーとほぼ同一大で、表示画面のソフトウェアキーボードに載置した状態で、各キーと上下に間隔をおいて位置するとともに、押し下げ力が加わると変形して対応位置するキーに接触し、押し下げ力を解除すると復元可能なことを特徴とする請求項１記載のソフトウェアキーボード表示画面用入力補助具。
【請求項３】
前記キータッチ部が、透孔を有することを特徴とする請求項２記載のソフトウェアキーボード表示画面用入力補助具。
【請求項４】
前記枠状の基部の裏面には、着脱可能に保持するための保持部材を設けてなることを特徴とするソフトウェアキーボード表示画面用入力補助具。
【考案の詳細な説明】
【技術分野】
【０００１】
本考案は、携帯情報端末の表示画面に表示された入力用のソフトウェアキーボードの画像に対するキーボード入力を確実に行なうために使用する補助具に関する。
【背景技術】
【０００２】
従来の一般的な表示一体型のタッチパネルを備えた携帯情報端末などでは、タッチパネルに表示される複数キーの画像配列を利用したユーザーインターフェイスである、ソフトウェアキーボードを備えている。ソフトウェアキーボードで使用されるキーは、各種の配列態様があるが、パソコンに備えられているキーボードと同様に配列されることが比較的多い。また、各キーには文字や記号が表示される。そして、利用者が各キーの画像にタッチすることによって、携帯情報端末の制御装置は、当該キー入力に対応した情報に基づき所定の制御動作を行なうものである。なお、以下においては、表示されたソフトウェアキーボードの画像や各キーの画像も、単にソフトウェアキーボードやキーと称する。
【０００３】
ところで、携帯に便利なように小型化が図られている携帯情報端末では、表示画面が小さいので、表示画面に表示されるソフトウェアキーボードは、小さくならざるを得なかった。このため、利用者が入力対象となるキーに指あるいは入力用ペンでタッチする際に、隣のキーにタッチして誤入力する事態をしばしば生じていた。この事態を避けるために従来では、キー入力の対象となるキーをあらかじめ推測して、このキーだけを拡大して表示することが提案されている（特許文献１）。
【先行技術文献】
【特許文献】
【０００４】
【特許文献１】特開平８−２２１１６９号公報
【考案の概要】
【考案が解決しようとする課題】
【０００５】
ところが、上述した従来の改良提案では、拡大率が小さいとキー入力の改善にならない一方、拡大率が大きいと隣接するキーが隠れて視認できず、利用者がキーボードの配列になれていない場合には、入力動作に支障をきたすという不都合を生じる。また、次に入力されるキーの推測が常に正確になされるとは限らず、この場合には無関係なキーが拡大されて、入力動作に支障をきたすという不都合もある。
【０００６】
最近では、表示画面を大きくした携帯情報端末も開発されてきているが、通常のキーボードと異なりキーに触れただけで入力されてしまうので、キータッチタイピングに際してホームポジションとなる「Ｆ」と「Ｊ」のキーに指先を置いた待機状態をとることができない。したがって、ソフトウェアキーボードにおけるキータッチタイピングを、通常のキーボードと同様の感覚で行なうことができず、キー入力を円滑、確実に行なうことができないという、新たな不都合を生じる。本考案は、このような従来の不都合を解消したソフトウェアキーボード表示画面用入力補助具を提供することを目的とする。
【課題を解決するための手段】
【０００７】
この目的を達成するため、本考案の請求項１に係るソフトウェアキーボード表示画面用入力補助具は、ソフトウェアキーボード表示画面に載置した状態で、ソフトウェアキーボードの各キーの周囲に対応するとともに、各キーに接触せずに利用者の指を載せることが可能な枠状の基部を備えてなるものである。
【０００８】
また、前記目的を達成するため、本考案の請求項２に係るソフトウェアキーボード表示画面用入力補助具は、前記請求項１記載の枠状の基部とキータッチ部とからなり、透視可能な合成樹脂で一体成型されてなり、キータッチ部は、ソフトウェアキーボードの各キーとほぼ同一大で、表示画面のソフトウェアキーボードに載置した状態で、各キーと上下に間隔をおいて位置するとともに、押し下げ力が加わると変形して対応位置するキーに接触し、押し下げ力が解除されると復元可能なものである。
【０００９】
また、前記目的を達成するため、本考案の請求項３に係るソフトウェアキーボード表示画面用入力補助具は、前記請求項２記載のキータッチ部が、透孔を有するものである。
【００１０】
また、前記目的を達成するため、本考案の請求項４に係るソフトウェアキーボード表示画面用入力補助具は、前記請求項１〜３のいずれかに記載の枠状の基部が、裏面に、ソフトウェアキーボード表示画面に着脱可能に保持するための保持部材、例えば、吸盤や、再接着、再剥離可能な接着剤を設けてなるものである。
【考案の効果】
【００１１】
本考案の請求項１に係るソフトウェアキーボード表示画面用入力補助具によれば、枠体に利用者の指を置くことができるので、所望のキー、例えばホームポジションとなるキー、に指先を接触することなく対応させた待機状態をとることができ、キー入力を円滑、確実に行なうことができるという効果を奏する。
【００１２】
本考案の請求項２に係るソフトウェアキーボード表示画面用入力補助具によれば、前記効果に加えて、キータッチ部の押し下げ動作によって入力するので、利用者は通常のキーボード入力と同様の感覚で入力動作を行なうことができるという効果を奏する。
【００１３】
本考案の請求項３に係るソフトウェアキーボード表示画面用入力補助具によれば、前記各効果に加えて、透孔が空気抜き用孔として機能するので、キータッチ部の押し下げ動作による変形と、変形後の復元がより円滑、かつ確実になされるという効果を奏する。
【００１４】
本考案の請求項４に係るソフトウェアキーボード表示画面用入力補助具によれば、前記各効果に加えて、携帯情報端末の表示画面に容易かつ確実に支持することができて、使い勝手がよいという効果を奏する。
【図面の簡単な説明】
【００１５】
【図１】ソフトウェアキーボード表示画面用入力補助具の一例を示す平面図。
【図２】図１のＡ−Ａ線断面図。
【図３】本考案の適用対象となる携帯情報端末のソフトウェアキーボード表示画面の一例を示す平面図。
【考案を実施するための形態】
【００１６】
以下、本考案の好適な実施形態を添付図面に基づいて説明する。はじめに、本考案の適用対象となる携帯情報端末のソフトウェアキーボード表示画面について説明する。図３に示すように、携帯情報端末１０１は、本体１０２前面のほとんどを表示画面１０３が占め、この表示画面１０３のほぼ下半分にソフトウェアキーボード１０４が表示される。このソフトウェアキーボード１０４は、各キー１０５のサイズが通常のキーボードのキーと同一サイズである。
【００１７】
続いて、本考案の好適な実施形態を図１及び図２に基づいて説明する。ソフトウェアキーボード表示画面用入力補助具１は、透視可能で軟質性の合成樹脂を一体成型してなり、枠状の基部２とキータッチ部３とを備えている。前記基部２は、携帯情報端末１０１の表示画面１０３のソフトウェアキーボード１０４に載置した状態で、ソフトウェアキーボード１０４の各キー１０５の周囲に対応するよう形成され、前記キータッチ部３が存在しない場合でも、前記各キー１０５に接触しない状態で利用者の指を載せることが可能なものである。
【００１８】
また、キータッチ部３は、ソフトウェアキーボード１０４の各キー１０５にそれぞれ対応するよう配列され、各キー１０５とほぼ同一大で、四角錐台状に基部２から上方に突出するよう形成され、表示画面１０３のソフトウェアキーボード１０４に載置した状態で、対応する各キー１０５と間隔をおいて位置するものである。そして、各キータッチ部３は、その頂部３ａに押し下げ力が加わると変形して対応位置するキー１０５に接触可能に形成されている。
【００１９】
一方、基部２の裏面には、図示していないが、表示画面１０３に着脱可能に保持するための保持部材たる再接着、再剥離可能な接着剤を設けてなる。
【００２０】
次に、上述のように構成したソフトウェアキーボード表示画面用入力補助具１の使用方法について説明する。図３に示す表示画面１０３のソフトウェアキーボード１０４に、ソフトウェアキーボード表示画面用入力補助具１を、各キー１０５と各キータッチ部３とが対応位置するようにして載置する。この載置状態において、ソフトウェアキーボード表示画面用入力補助具１は、基部２の裏面に設けた接着剤によって表示画面１０３上に確実に保持される。
【００２１】
携帯情報端末１０１の利用者は、ソフトウェアキーボード表示画面用入力補助具１が表示画面１０３のソフトウェアキーボード１０４上に存在することによって、指先をキータッチ部３の頂部３ａに置いただけでは、対応するキー１０５からの入力がなされることはない。また、ソフトウェアキーボード表示画面用入力補助具１は透視可能なので、利用者は各キー１０５の表示を視認可能である。
【００２２】
したがって、携帯情報端末１０１の利用者は、通常のキーボードと同様に「Ｆ」と「Ｊ」の各キー１０５をホームポジションとして、各指先を所望のキータッチ部３の頂部３ａに置いた待機状態から、所望のキー１０５に対応するキータッチ部３の頂部３ａを押し下げ、キータッチ部３を変形させて前記頂部３ａにおいて前記キー１０５に接触し、入力を行なうことができる。この頂部３ａの押し下げ動作の時に利用者が通常のキーボードと同様の感覚を得られるように、キータッチ部３の厚さや硬さを設定しておくと好適である。
【００２３】
なお、本考案は上述の実施形態に限定されるものではなく、例えば、キータッチ部３を備えず、基部２のみで構成し、キータッチ部３が存在しないものでもよい。この場合は、基部２は透視可能である必要はなく、その材質も合成樹脂に限らない。また、キータッチ部３に、その変形、復元をより容易、かつ確実にするために空気抜き用の透孔を設けてもよいものである。さらに、表示画面１０３に着脱可能に保持するための保持部材としては、上述の接着剤のほか、吸盤を採用してもよいものである。
【符号の説明】
【００２４】
１      ソフトウェアキーボード表示画面用入力補助具
２      基部
３      キータッチ部
３ａ      頂部
１０１      携帯情報端末
１０２      本体
１０３      表示画面
１０４      ソフトウェアキーボード
１０５      キー
【図１】
0003166933.tif 000003
【図２】
0003166933.tif 000004
【図３】
0003166933.tif 000005
【手続補正書】
【提出日】平成23年1月21日(2011.1.21)
【手続補正１】
【補正対象書類名】実用新案登録請求の範囲
【補正対象項目名】請求項４
【補正方法】変更
【補正の内容】
【請求項４】
前記枠状の基部の裏面には、着脱可能に保持するための保持部材を設けてなることを特徴とする請求項１〜請求項３のいずれか１項記載のソフトウェアキーボード表示画面用入力補助具。